(57)【要約】【課題】化粧をした女性が装着したとしても、鼻の上部にノーズパッドの跡が残らない眼鏡（アイウェア）を提供する。【解決手段】一本の略弧状の部材で構成されているフレーム本体と、前記フレーム本体に取り付けれた左右一体型のレンズ体と、前記フレーム本体のテンプルにおいて前後に摺動可能に取り付けられた錘体と、を具備すること、を特徴とするアイウェア。【選択図】図２
2016035523.tif 000002
【特許請求の範囲】
【請求項１】
一本の略弧状の部材で構成されているフレーム本体と、
前記フレーム本体に取り付けれた左右一体型のレンズ体と、
前記フレーム本体のテンプルにおいて前後に摺動可能に取り付けられた錘体と、を具備すること、
を特徴とするアイウェア。
【請求項２】
前記レンズ体が中央部分下側に凹状の部分を有しており、ノーズパッドを有しないこと、
を特徴とする請求項１に記載のアイウェア。
【請求項３】
前記フレーム本体のテンプルの先端部分が、前記アイウェアをユーザーが装着した際に、前記ユーザーの耳輪の最後部よりも後方に伸びていること、
を特徴とする請求項１又は２に記載のアイウェア。
【発明の詳細な説明】
【技術分野】
【０００１】
本発明は、ノーズパッドの無い眼鏡等のアイウェアに関する。
【背景技術】
【０００２】
従来から種々の眼鏡が世の中には普及しており、その構造は、一般的には、ノーズパッドを有するものである。例えば特許文献１（意匠登録第１４８５１４０号公報）にもノーズパッドを有する眼鏡が提案されている。
【０００３】
これに対し、例えば特許文献２（意匠登録第１４９４８７１号公報）には、ノーズパッドがほぼ無い眼鏡が提案されている。
【先行技術文献】
【特許文献】
【０００４】
【特許文献１】意匠登録第１４８５１４０号公報
【特許文献２】意匠登録第１４９４８７１号公報
【発明の概要】
【発明が解決しようとする課題】
【０００５】
しかしながら、上記特許文献１において提案されている眼鏡は、化粧をする女性がユーザーとして装着すると、ノーズパッドが強く鼻の上部に載置されるため、眼鏡を外した後にノーズパッドの跡が残ってしまうという問題がある。また、例え上記特許文献２に記載の眼鏡であっても、ノーズパッドが本来位置する部分が鼻の上部に強く接するため、やはり同様の問題を生じる。
【０００６】
そこで、本発明の目的は、化粧をした女性が装着したとしても、鼻の上部にノーズパッドの跡が残らない眼鏡（アイウェア）を提供することにある。
【課題を解決するための手段】
【０００７】
上述した課題を解決すべく提供される本発明のアイウェアは、
一本の略弧状の部材で構成されているフレーム本体と、
前記フレーム本体に取り付けれた左右一体型のレンズ体と、
前記フレーム本体のテンプルにおいて前後に摺動可能に取り付けられた錘体と、を具備すること、
を特徴とするものである。
【０００８】
上記本発明のアイウェアにおいては、前記レンズ体が中央部分下側に凹状の部分を有しており、ノーズパッドを有しないこと、が好ましい。
【０００９】
また、上記本発明のアイウェアにおいては、前記フレーム本体のテンプルの先端部分が、前記アイウェアをユーザーが装着した際に、前記ユーザーの耳輪の最後部よりも後方に伸びていること、が好ましい。
【発明の効果】
【００１０】
本発明によれば、化粧をした女性が装着したとしても、鼻の上部にノーズパッドの跡が著しく残りにくい眼鏡（アイウェア）を実現することができる。
【図面の簡単な説明】
【００１１】
【図１】本発明の一実施形態に係るアイウェアをユーザーが装着している様子を示す概略斜視図である。
【図２】図１に示すアイウェアの概略斜視図である。
【図３】本発明の別の実施形態に係るアイウェアの概略斜視図である。
【発明を実施するための形態】
【００１２】
以下、本発明の一実施形態に係るアイウェアについて、図面を参照しつつ詳細に説明する。なお、以下に示す実施形態は、本発明の一実施形態を示したものに過ぎず、本発明が図示されるものに限られないことはいうまでもない。
【００１３】
また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１４】
図１及び図２に示すように、本実施形態のアイウェア１は、一本の略弧状の部材で構成されているフレーム本体２と、フレーム本体２に取り付けられた左右一体型のレンズ体４と、フレーム本体２のテンプルの先のモダン領域において前後に摺動可能に取り付けられた錘体６と、を有している。
【００１５】
フレーム本体２は、一本の略弧状の部材で構成されており、レンズ体４が取り付けられている側の前部分は、前方に凸状の形状を有している。また、このフレーム本体２においては、アッパーリムとテンプルとモダンとが一体化している構成を有しており、図１に示すように、耳にかかる部分の後方に位置するモダン部分が、耳輪の最後部（矢印Ｘで示される部分）よりも後方に伸び、かつ上下方向においてやや幅が大きく構成されている。
【００１６】
アイウェア１を装着した際、フレーム本体２は、点ＰＲ及び点ＰＬにおいて、ユーザーの耳の上側部分に保持されるとともに、上記のモダン部分に相当する幅が大きい部分（幅広部）においてユーザーの側頭部に接し、ここにおいても摩擦によってある程度支持されることになる。
【００１７】
また、フレーム本体２の前部分に取り付けられているレンズ体４は、右側レンズと左側レンズとが連続して一体化した形状を有しており、その中央部分下側に凹状の部分が設けられている。この凹状の部分は、装着しているユーザーの鼻上部（図１における点ＰＣ）に軽く載置されるか、又は、浮いていることになる。
【００１８】
このように、本実施形態に係るアイウェア１は、ノーズパッドを有していないが、上記の点ＰＲ及び点ＰＬ及びにおいてしっかりと支持され、確実にユーザーの顔に装着されることとなるが、上記の点ＰＣにおいては、軽く載置されるか、又は、浮いていることになるため、化粧をした女性がユーザーであっても、ノーズパッド乃至はアイウェア１の跡が著しく残りにくい。
【００１９】
なお、フレーム本体２の下側部分や内側部分には、例えば粗面加工を施したり、粗い材料を貼り付けたりして、摩擦抵抗を上げ、滑り止めを施しておいてもよい。
【００２０】
ここで、アイウェア１を装着している際、アイウェア１の重みが、顔の前部分に位置する点ＰＣに偏り過ぎると、レンズ体４がユーザーの鼻の上部に強く載置されてしまったり接したりするため、更には、バランスを著しく損なってアイウェア１が外れてしまうおそれがある。
【００２１】
そこで、本実施形態においては、アイウェア１のレンズ体４がユーザーの鼻の上部に強く載置されたり接したりしないように、アイウェア１の重みのユーザーの前後方向（図２における矢印Ｚの方向）におけるバランスを調整させて、アイウェア１の重みを後方に位置させて前部分を浮きがちにするため、フレーム本体２のモダン部分に相当する幅広部に錘体６が設けられている。
【００２２】
錘体６は、錘部６ａと錘部６ａを保持する環状摺動部６ｂとで構成されており、フレーム本体２においてユーザーの前後方向に摺動（スライド）させることができ、アイウェア１のバランスを保つことができる。また、本実施形態では、フレーム本体２のうちの耳にかかる部分の後方に位置するモダン部分が、耳輪の最後部（矢印Ｘで示される部分）よりも後方にまで伸びていることから、錘体６をより後方に位置させることが可能である。
【００２３】
錘部６ａは、例えばタングステン等の金属で構成されており、その形状は特に制限は無く、ユーザーにとって不快感の無いものであればよい。図１に及び図２においては、錘部６ａはユーザーの側頭部側に位置しているが、外側に位置していてもよい。また、フレーム本体２内に長尺状の溝部を設け、その内部を錘部６ａが前後方向に摺動する構成をとってもよい（このとき環状摺動部６ｂは不要である。）。
【００２４】
また、環状摺動部６ｂは、錘部６ａを保持しつつフレーム本体２のテンプル及びその先のモダン領域において前後方向に移動させることにより、前後方向におけるアイウェア１のバランスを保つためのものである。摺動可能でかつ所定の位置に保持可能なように、例えばゴムで構成されているのが好ましい。
【００２５】
以上、本発明のアイウェアの一実施形態について説明したが、本発明はこれらのみに限定されるものではなく、本発明の技術的思想を利用する限りは、種々の設計変更が可能であり、かかる設計変更を施した発明も当然に本発明に含まれる。
【００２６】
例えば、上記実施形態のアイウェア１は、図３に示すように、錘体６の前方において、フレーム本体２には、耳掛け部８を設けられている構成を有してもよい（変形例）。かかる変形例においては、耳掛け部８によりアイウェア１が、より確実に耳の上側（点ＰＲ及び点ＰＬ）に載置させることができる。
【００２７】
この耳掛け部８は、位置決部８ａと位置決部８ａを保持する環状摺動部８ｂとで構成されており、フレーム本体２の錘体６よりも前方の位置において、ユーザーの前後方向に摺動（スライド）させることができ、アイウェア１のテンプルをユーザーの耳の上部に的確に掛けることができる。
【００２８】
位置決部８ａは、例えばポリプロピレン（ＰＰ）、ポリエチレンテレフタレート（ＰＥＴ）又はアクリロニトリル・ブタジエン・スチレン（ＡＢＳ）共重合体等の樹脂で構成されており、その形状はズ３においては半環状であるが、ユーザーの耳の上部に掛かった際に不快感を生じさせにくいものであればよい。
【００２９】
図３においては、位置決部８ａはユーザーの側頭部側に位置しているが、外側に位置していてもよい。また、フレーム本体２内に長尺状の溝部を設け、その内部を位置決部８ａが前後方向に摺動する構成をとってもよい（このとき環状摺動部８ｂは不要である。）。
【００３０】
また、環状摺動部８ｂは、位置決部８ａを保持しつつフレーム本体２のテンプル領域において前後方向に移動させることにより、アイウェア１をしっかりと耳の上部に掛けるためのものである。摺動可能でかつ所定の位置に保持可能なように、例えばゴムで構成されているのが好ましい。
【００３１】
上記に説明の無い部材については、従来公知のものを用いることができる。例えばレンズ体４は、度数の入ったレンズ体でも、度数の入っていないレンズ体でもよい。また、レンズ体４は、透明であってもサングラスのように色味を帯びていてもよく、また、調光レンズであってもよい。
【符号の説明】
【００３２】
１・・・アイウェア、
２・・・フレーム本体、
４・・・レンズ体、
６・・・錘体、
８・・・耳掛け部。
【図１】
2016035523.tif 000003
【図２】
2016035523.tif 000004
【図３】
2016035523.tif 000005